(57)【要約】【課題】ワイパフレームカバーとワイパフレームとギヤケースとをねじで結合し、しかも、緩むことなく強固に結合することができるワイパユニットを提供する。【解決手段】ワイパフレームカバー５は、ギヤケース１５のワイパフレーム支持部１５ｄに収められたワイパフレーム４のギヤケース固定部４ｄの上側に配置され、第１、第２のねじ挿通孔５ａ２、５ａ３からワイパフレーム固定用ねじ６、６がワイパフレーム４のギヤケース固定部４ｄに形成された第１、第２のねじ挿通孔４ｄ２、４ｄ３の第１、第２のねじ保持部４ｄ４、４ｄ５、第１、第２の丸孔部４ｄ６、４ｄ７にそれぞれ通されてから、ギヤケース１５のワイパフレーム支持部１５ｄの第１、第２のねじ込み孔１５ｄ３、１５ｄ４にワイパフレーム固定用ねじ６、６がそれぞれねじ込まれてなるワイパユニット１。【選択図】図２
2005138841.tif 000002
【特許請求の範囲】
【請求項１】
ワイパモータと、上記ワイパモータの出力軸に固定されたモータアームと、パイプ状に形成されたワイパフレームと、上記ワイパフレームの端部に結合されたピボットシャフト支持部と、上記ピボットシャフト支持部に回転可能に支持されたピボットシャフトと、上記ピボットシャフトに結合されたピボットアームと、上記モータアームと上記ピボットアームとにそれぞれ連結されたリンクコンロッドとを備えたワイパユニットであって、上記ワイパフレームには、第１のねじ挿通孔が形成されるとともに、この第１のねじ挿通孔を囲んで円筒形に形成されたねじ保持部が一体に形成されたギヤケース固定部が設けられ、上記ワイパモータのギヤケースには、ねじ込み孔が形成されているとともに、上記ワイパフレームのギヤケース固定部を支持可能なワイパフレーム支持部が形成され、さらに、略半円筒形に形成され、第１のねじ挿通孔に対応して配置される第２のねじ挿通孔が形成されたワイパーフレームカバーを備え、上記ワイパーフレームカバーの第２のねじ挿通孔に挿通され、かつ、上記ワイパフレームに備えられたギヤケース固定部の第１のねじ挿通孔に挿通されて、ねじ保持部に支持され、上記ギヤケースに備えられたワイパフレーム支持部のねじ込み孔にねじ込まれることによってワイパフレームカバーとワイパフレームとギヤケースとを結合するねじを備えていることを特徴とするワイパユニット。
【請求項２】
ワイパモータと、上記ワイパモータの出力軸に固定されたモータアームと、パイプ状に形成されたフレーム本体をもつワイパフレームと、上記ワイパフレームの端部に結合されたピボットシャフト支持部と、上記ピボットシャフト支持部に回転可能に支持されたピボットシャフトと、上記ピボットシャフトに結合されたピボットアームと、上記モータアームと上記ピボットアームとにそれぞれ連結されたリンクコンロッドとを備えたワイパユニットであって、上記ワイパフレームのフレーム本体には、第１のねじ挿通孔が形成されるとともに、この第１のねじ挿通孔を囲んで円筒形に形成されたねじ保持部が一体に形成されたギヤケース固定部が設けられ、上記ワイパモータのギヤケースには、ねじ込み孔が形成されているとともに、上記ワイパフレームのギヤケース固定部を支持可能なワイパフレーム支持部が形成され、さらに、略半円筒形に形成され、第１のねじ挿通孔に対応して配置される第２のねじ挿通孔が形成されたワイパーフレームカバーを備え、上記ワイパーフレームカバーの第２のねじ挿通孔に挿通され、かつ、上記ワイパフレームに備えられたギヤケース固定部の第１のねじ挿通孔に挿通されて、ねじ保持部に支持され、上記ギヤケースに備えられたワイパフレーム支持部のねじ込み孔にねじ込まれることによって上記ワイパフレームカバーとワイパフレームとギヤケースとを結合するねじを備えていることを特徴とするワイパユニット。
【請求項３】
ワイパモータと、上記ワイパモータの出力軸に固定されたモータアームと、パイプ状に形成されたフレーム本体をもち、このフレーム本体の端部に結合された車体側固定部をもつとともにピボットシャフト支持部をもつワイパフレームと、上記ワイパフレームのピボットシャフト支持部に回転可能に支持されたピボットシャフトと、上記ピボットシャフトに結合されたピボットアームと、上記モータアーム、上記ピボットアームにそれぞれ連結されたリンクコンロッドを備えたワイパユニットであって、上記ワイパフレームのフレーム本体には、第１のねじ挿通孔が形成されるとともに、この第１のねじ挿通孔を囲んで円筒形に形成されたねじ保持部が一体に形成されたギヤケース固定部が設けられ、上記ワイパモータのギヤケースには、ねじ込み孔が形成されているとともに、上記ワイパフレームのギヤケース固定部を支持可能なワイパフレーム支持部が形成され、さらに、略半円筒形に形成され、第１のねじ挿通孔に対応して配置される第２のねじ挿通孔が形成されたワイパーフレームカバーを備え、上記ワイパーフレームカバーの第２のねじ挿通孔に挿通され、かつ、上記ワイパフレームに備えられたギヤケース固定部の第１のねじ挿通孔に挿通されて、ねじ保持部に支持され、上記ギヤケースに備えられたワイパフレーム支持部のねじ込み孔にねじ込まれることによって上記ワイパフレームカバーとワイパフレームとギヤケースとを結合するねじを備えていることを特徴とするワイパユニット。
【発明の詳細な説明】
【技術分野】
【０００１】
この発明は払拭面をワイパで拭うワイパ装置において、ワイパモータ、ワイパアーム、ピボットシャフト、ピボットアーム、リンクコンロッドを一体的に備えたワイパユニットに関する。
【背景技術】
【０００２】
ワイパモータ、ワイパアーム、ピボットシャフト、ピボットアーム、リンクコンロッドを一体的に備えたワイパユニットとしては、特開平９−３９７４２号公報に開示されているものが知られている。
【特許文献１】特開平９−３９７４２号公開特許公報
【発明の開示】
【発明が解決しようとする課題】
【０００３】
上記したワイパユニットでは、ワイパモータに、このワイパモータとは独立して形成されたブラケットが固定され、このブラケットにパイプ形のワイパフレームが固定されているから、ワイパモータとブラケットとの結合部分およびブラケットとワイパフレームの結合部分のそれぞれで緩みが生ずるおそれがあり、結合部分が緩むと、それが機械的な振動をともなうから、品質の低下を招くという問題点があり、この問題点を解決することが課題となっていた。
【課題を解決するための手段】
【０００４】
この発明に係わるワイパユニットは、ワイパフレームをワイパモータに直結するギヤケースにねじで結合し、しかも、緩むことなく強固に結合することができるワイパユニットを提供することを目的としたものであって、次の構成、手段から成立する。
【０００５】
この発明の請求項１に係るワイパユニットでは、ワイパモータと、上記ワイパモータの出力軸に固定されたモータアームと、パイプ状に形成されたワイパフレームと、上記ワイパフレームの端部に結合されたピボットシャフト支持部と、上記ピボットシャフト支持部に回転可能に支持されたピボットシャフトと、上記ピボットシャフトに結合されたピボットアームと、上記モータアームと上記ピボットアームとにそれぞれ連結されたリンクコンロッドとを備えたワイパユニットであって、上記ワイパフレームには、第１のねじ挿通孔が形成されるとともに、この第１のねじ挿通孔を囲んで円筒形に形成されたねじ保持部が一体に形成されたギヤケース固定部が設けられ、上記ワイパモータのギヤケースには、ねじ込み孔が形成されているとともに、上記ワイパフレームのギヤケース固定部を支持可能なワイパフレーム支持部が形成され、さらに、略半円筒形に形成され、第１のねじ挿通孔に対応して配置される第２のねじ挿通孔が形成されたワイパーフレームカバーを備え、上記ワイパーフレームカバーの第２のねじ挿通孔に挿通され、かつ、上記ワイパフレームに備えられたギヤケース固定部の第１のねじ挿通孔に挿通されて、ねじ保持部に支持され、上記ギヤケースに備えられたワイパフレーム支持部のねじ込み孔にねじ込まれることによってワイパフレームカバーとワイパフレームとギヤケースとを結合するねじを備えていることを特徴としている。
【０００６】
この発明の請求項２に係るワイパユニットでは、ワイパモータと、上記ワイパモータの出力軸に固定されたモータアームと、パイプ状に形成されたフレーム本体をもつワイパフレームと、上記ワイパフレームの端部に結合されたピボットシャフト支持部と、上記ピボットシャフト支持部に回転可能に支持されたピボットシャフトと、上記ピボットシャフトに結合されたピボットアームと、上記モータアームと上記ピボットアームとにそれぞれ連結されたリンクコンロッドとを備えたワイパユニットであって、上記ワイパフレームのフレーム本体には、第１のねじ挿通孔が形成されるとともに、この第１のねじ挿通孔を囲んで円筒形に形成されたねじ保持部が一体に形成されたギヤケース固定部が設けられ、上記ワイパモータのギヤケースには、ねじ込み孔が形成されているとともに、上記ワイパフレームのギヤケース固定部を支持可能なワイパフレーム支持部が形成され、さらに、略半円筒形に形成され、第１のねじ挿通孔に対応して配置される第２のねじ挿通孔が形成されたワイパーフレームカバーを備え、上記ワイパーフレームカバーの第２のねじ挿通孔に挿通され、かつ、上記ワイパフレームに備えられたギヤケース固定部の第１のねじ挿通孔に挿通されて、ねじ保持部に支持され、上記ギヤケースに備えられたワイパフレーム支持部のねじ込み孔にねじ込まれることによって上記ワイパフレームカバーとワイパフレームとギヤケースとを結合するねじを備えていることを特徴としている。
【０００７】
この発明の請求項３に係るワイパユニットでは、ワイパモータと、上記ワイパモータの出力軸に固定されたモータアームと、パイプ状に形成されたフレーム本体をもち、このフレーム本体の端部に結合された車体側固定部をもつとともにピボットシャフト支持部をもつワイパフレームと、上記ワイパフレームのピボットシャフト支持部に回転可能に支持されたピボットシャフトと、上記ピボットシャフトに結合されたピボットアームと、上記モータアーム、上記ピボットアームにそれぞれ連結されたリンクコンロッドを備えたワイパユニットであって、上記ワイパフレームのフレーム本体には、第１のねじ挿通孔が形成されるとともに、この第１のねじ挿通孔を囲んで円筒形に形成されたねじ保持部が一体に形成されたギヤケース固定部が設けられ、上記ワイパモータのギヤケースには、ねじ込み孔が形成されているとともに、上記ワイパフレームのギヤケース固定部を支持可能なワイパフレーム支持部が形成され、さらに、略半円筒形に形成され、第１のねじ挿通孔に対応して配置される第２のねじ挿通孔が形成されたワイパーフレームカバーを備え、上記ワイパーフレームカバーの第２のねじ挿通孔に挿通され、かつ、上記ワイパフレームに備えられたギヤケース固定部の第１のねじ挿通孔に挿通されて、ねじ保持部に支持され、上記ギヤケースに備えられたワイパフレーム支持部のねじ込み孔にねじ込まれることによって上記ワイパフレームカバーとワイパフレームとギヤケースとを結合するねじを備えていることを特徴としている。
【発明の効果】
【０００８】
この発明の請求項１に係るワイパユニットによれば、ワイパフレームには、第１のねじ挿通孔が形成されるとともに、この第１のねじ挿通孔を囲んで円筒形に形成されたねじ保持部が一体に形成されたギヤケース固定部が設けられ、ワイパモータのギヤケースには、ねじ込み孔が形成されているとともに、上記ワイパフレームのギヤケース固定部を支持可能なワイパフレーム支持部が形成され、さらに、略半円筒形に形成され、第２のねじ挿通孔に対応して配置される第２のねじ挿通孔が形成されたワイパーフレームカバーを備え、上記ワイパーフレームカバーの第２のねじ挿通孔に挿通され、かつ、上記ワイパフレームに備えられたギヤケース固定部の第１のねじ挿通孔に挿通されて、ねじ保持部に支持され、上記ギヤケースに備えられたワイパフレーム支持部のねじ込み孔にねじ込まれることによってワイパフレームカバーとワイパフレームとギヤケースとを結合するねじを備えている。
それ故、ワイパフレームのギヤケース固定部に、ワイパフレームのギヤケース固定部の外径を中左右の方向に大きくしようとする応力に抗する反力が発生し、その反力がワイパフレーム固定用ねじに向けて作用することによってワイパフレーム固定用ねじの推力となるため、ギヤケースのねじ込み孔にねじ込まれたワイパフレーム固定用ねじに緩みが生ずることがなく、ワイパフレームカバー、ワイパフレーム、ギヤケースの三者が強固に結合される。
よって、ワイパフレームをワイパモータに直接結合し、しかも、緩むことなく強固に結合することができるという優れた効果を奏する。
【０００９】
この発明の請求項２に係るワイパユニットによれば、上記この発明の請求項１に係る構成に於いて、さらに、ワイパフレームがパイプ状に形成されたフレーム本体を有している。
それ故、フレーム本体はパイプ形にされており、このフレーム本体は搭載する車体のダッシュアッパパネルの形状に合わせて曲げられて形成され、フレーム本体のほぼ中央にはギヤケース固定部が形成されている。
よって、この発明の請求項１に係るワイパユニットの効果に加えて、ワイパフレームをワイパモータに直接結合し、しかも、緩むことなく強固に結合することができるという優れた効果を奏する。
【００１０】
この発明の請求項３に係るワイパユニットによれば、上記この発明の請求項１に係る構成に於いて、さらに、ワイパフレームがパイプ状に形成されたフレーム本体をもち、このフレーム本体の端部に結合されて車体側固定部を有すると共にピボットシャフト支持部を有している。
それ故、一方の車体側固定部はフレーム本体の一端側に加締め固定され、他方の車体側固定部はフレーム本体の他端側に加締め固定されている。そして、一方の車体側固定部には、ピボットシャフト支持部が形成されており、このピボットシャフト支持部にピボットシャフトが回転可能に支持されている。
よって、この発明の請求項１に係るワイパユニットの効果に加えて、ワイパフレームをワイパモータに直接結合し、しかも、緩むことなく強固に結合することができるという優れた効果を奏する。
【発明を実施するための最良の形態】
【００１１】
以下、この発明に係るワイパユニットに於ける実施の形態について添付図面に基づき詳細に説明する。
図１ないし図４には、この発明に係わるワイパユニットの実施の形態が示されている。
【００１２】
図示するワイパユニット１は、主として、ワイパモータ２、モータアーム３、ワイパフレーム４、ワイパフレームカバー５、ワイパフレーム固定用ねじ６、第１のリンクコンロッド７、第１のピボットアーム８、第１のピボットシャフト９、第２のリンクコンロッド１０、第２のピボットアーム１１、第２のピボットシャフト１２から構成されている。
【００１３】
ワイパモータ２は、モータヨーク１３内にアーマチュア１４が回転可能に収容されており、モータヨーク１３がギヤケース１５にねじ１６をねじ込むことによって結合されている。アーマチュア１４にはアーマチュアシャフト１７が備えられており、図３に示されるように、アーマチュアシャフト１７が、ギヤケース１５のギヤケース本体１５ａに孔状に形成されたギヤ収容部１５ｂ内に突出して配置されている。
【００１４】
アーマチュアシャフト１７には、ギヤ収容部１５ｂ内にウオーム１７ａが形成されており、このウオーム１７ａに第１の中間ギヤ１８、第２の中間ギヤ１９がそれぞれ噛み合っている。第１、第２の中間ギヤ１８、１９は２段の歯車であって、大径側がアーマチュアシャフト１７のウオーム１７ａにそれぞれ噛合され、小径側が出力ギヤ２０にそれぞれ噛合されている。
【００１５】
出力ギヤ２０は、ギヤケース１５に回転可能に支持されている出力軸２１の一端部に結合されている。出力軸２１は、他端部がギヤケース１５の外側に突出してモータアーム３の基端部に固定されている。モータアーム３の先端部には第１のボールピン２２が固定されている。第１のボールピン２２には、第１のボールリテーナ２３が球面対偶を介して結合されている。第１のボールリテーナ２３は第１のリンクコンロッド７の一端部に固定されている。
【００１６】
そして、ギヤケース１５には、第１の車体側固定部１５ｃ、ワイパフレーム支持部１５ｄが形成されている。第１の車体側固定部１５ｃはギヤケース本体１５ａから板状に突出している。ワイパフレーム支持部１５ｄはギヤケース本体１５ａから略矩形に突出形成されている。
【００１７】
ワイパフレーム支持部１５ｄには、支持部本体１５ｄ１の一方側に、後述するワイパフレーム４に形成されたギヤケース固定部４ｄの外径寸法よりもわずかに大きい内径寸法の半円形溝状にされた第１のワイパフレーム圧着面１５ｄ２が形成されている。また、ワイパフレーム支持部１５ｄには、第１のワイパフレーム圧着面１５ｄ２のほぼ中央で、この第１のワイパフレーム圧着面１５ｄ２の溝方向に沿って並べて配置された第１、第２のねじ込み孔１５ｄ３、１５ｄ４がそれぞれ形成されている。このとき、第１、第２のねじ込み孔１５ｄ３、１５ｄ４には雌ねじが形成されているが、後述するワイパフレーム固定用ねじ６をタッピングスクリューなどの部材とすることにより、雌ねじを形成することなく貫通状の単純な孔とするだけでもよい。
【００１８】
ワイパフレーム支持部１５ｄでは、第１のワイパフレーム圧着面１５ｄ２上にワイパフレーム４のギヤケース固定部４ｄが配置され、このギヤケース固定部４ｄを貫通したワイパフレーム固定用ねじ６、６が第１、第２のねじ込み孔１５ｄ３、１５ｄ４にねじ込まれることによって、第１のワイパフレーム圧着面１５ｄ２がワイパフレーム４のギヤケース固定部４ｄに圧着する。第１のワイパフレーム圧着面１５ｄ２は、ワイパフレーム４のギヤケース固定部４ｄの筒方向に沿って、ギヤケース固定部４ｄの全周のうちのほぼ下半分を覆う。
【００１９】
ワイパモータ２は、図示しない外部接続配線を通じてアーマチュア１４に通電されると、アーマチュアシャフト１７が回転するため、ウオーム１７ａを介して第１、第２の中間ギヤ１８、１９が回転し、第１、第２の中間ギヤ１８、１９を介して出力ギヤ２０が回転して出力軸２１が回転することによってモータアーム３が回転する。そして、モータアーム３が回転することによって第１のボールピン２２が円運動するから、第１のボールリテーナ２３によって第１のリンクコンロッド７を往復揺動させる動力が与えられる。
【００２０】
一方、ワイパフレーム４は、フレーム本体４ａ、第２の車体側固定部４ｂ、第３の車体側固定部４ｃから形成されている。
【００２１】
フレーム本体４ａはパイプ形にされており、このフレーム本体４ａは搭載する車体のダッシュアッパパネルの形状に合わせて曲げられて形成されている。フレーム本体４ａのほぼ中央にはギヤケース固定部４ｄが形成されている。
【００２２】
ギヤケース固定部４ｄには、図４に示されるように、筒形状の固定部本体４ｄ１が備えられており、この固定部本体４ｄ１に第１のねじ挿通孔４ｄ２、第２のねじ挿通孔４ｄ３がそれぞれ形成されている。第１、第２のねじ挿通孔４ｄ２、４ｄ３は、固定部本体４ｄ１を貫通するものとして、固定部本体４ｄ１の筒方向に並べて配置されている。
【００２３】
第１、第２のねじ挿通孔４ｄ２、４ｄ３には、ワイパフレーム固定用ねじ６、６が先に挿通される一方側に、内周部で円筒形にされた第１、第２のねじ保持部４ｄ４、４ｄ５がそれぞれ形成されているとともに、ワイパフレーム固定用ねじ６、６が後に挿通される他方側に、第１、第２の丸孔部４ｄ６、４ｄ７がそれぞれ形成されている。
【００２４】
第１、第２のねじ挿通孔４ｄ２、４ｄ３はギヤケース１５のワイパフレーム支持部１５ｄに形成されたねじ込み孔１５ｄ３、１５ｄ４にそれぞれ一致するように配置されている。第１、第２のねじ挿通孔４ｄ２、４ｄ３を形成するに際しては、特開平７−１９５２８３号公報に開示された穴成形方法を用いるのが好ましい。
【００２５】
ギヤケース固定部４ｄは、前述したワイパモータ２のギヤケース１５に形成されたワイパフレーム支持部１５ｄ内に配置され、このギヤケース固定部４ｄの上側には、ワイパフレームカバー５が配置されている。
【００２６】
ワイパフレームカバー５には、図４に示されるように、略半円筒形にされたフレームカバー本体５ａの内側にワイパフレーム４に形成されたギヤケース固定部４ｄの外径寸法よりもわずかに大きい内径寸法の第２のワイパフレーム圧着面５ａ１が形成されている。この第２のワイパフレーム圧着面５ａ１は、ギヤケース１５のワイパフレーム支持部１５ｄに形成された第１のワイパフレーム圧着面１５ｄ２とによりほぼ円形に配置される。
【００２７】
フレームカバー本体５ａには、第２のワイパフレーム圧着面５ａ１のほぼ中央で、この第２のワイパフレーム圧着面５ａ１の筒方向に沿って並べて配置された第１、第２のねじ挿通孔５ａ２、５ａ３がそれぞれ形成されている。第１、第２のねじ挿通孔５ａ２、５ａ３は、ワイパフレーム４のギヤケース固定部４ｄに形成された第１、第２のねじ挿通孔４ｄ２、４ｄ３にそれぞれ一致するように配置され、フレームカバー本体５ａの中央に、図４中上方に向けて折り曲げられて突出した当接突部５ａ６上に形成されている。当接突部５ａ６は、平面に形成されており、後述するワイパフレーム固定用ねじ６がねじ込まれることによって、ワイパフレーム固定用ねじ６の頭部６ａに当接して、ワイパフレーム４のギヤケース固定部４ｄをギヤケース１５のワイパフレーム支持部１５ｄに対して弾性的に支持する。
【００２８】
そして、フレームカバー本体５ａの第２のワイパフレーム圧着面５ａ１の円周方向の端部には、第１、第２のギヤケース側端部５ａ４、５ａ５がそれぞれ形成されている。第１、第２のギヤケース側端部５ａ４、５ａ５は、ギヤケース１５のワイパフレーム支持部１５ｄに収められたワイパフレーム４のギヤケース固定部４ｄの上側に第２のワイパフレーム圧着面５ａ１が圧着された際、ギヤケース１５のワイパフレーム支持部１５ｄから離れて配置される。
【００２９】
ワイパフレームカバー５の第１、第２のねじ挿通孔５ａ２、５ａ３には、ワイパフレーム固定用ねじ６、６が挿通される。ワイパフレームカバー５は、ギヤケース１５のワイパフレーム支持部１５ｄに収められたワイパフレーム４のギヤケース固定部４ｄの上側に配置され、第１、第２のねじ挿通孔５ａ２、５ａ３からワイパフレーム固定用ねじ６、６がワイパフレーム４のギヤケース固定部４ｄに形成された第１、第２のねじ挿通孔４ｄ２、４ｄ３の第１、第２のねじ保持部４ｄ４、４ｄ５、第１、第２の丸孔部４ｄ６、４ｄ７にそれぞれ通されてから、ギヤケース１５のワイパフレーム支持部１５ｄの第１、第２のねじ込み孔１５ｄ３、１５ｄ４にワイパフレーム固定用ねじ６、６がそれぞれねじ込まれることによって、第２のワイパフレーム圧着面５ａ１がワイパフレーム４のギヤケース固定部４ｄの上側に圧着する。第２のワイパフレーム圧着面５ａ１は、ワイパフレーム４のギヤケース固定部４ｄに沿って、ギヤケース固定部４ｄの全周のうちのほぼ上半分を覆う。
【００３０】
ワイパフレーム固定用ねじ６、６がワイパフレームカバー５、ワイパフレーム４を通してギヤケース１５の第１、第２のねじ込み孔１５ｄ３、１５ｄ４にねじ込まれることによって、ワイパフレームカバー５の第２のワイパフレーム圧着面５ａ１がワイパフレーム４のギヤケース固定部４ｄの上側に圧着するとともに、ギヤケース１５の第１のワイパフレーム圧着面１５ｄ２がワイパフレーム４のギヤケース固定部４ｄの下側に圧着するから、ワイパフレーム４のギヤケース固定部４ｄに対し、第１、第２のねじ保持部４ｄ４、４ｄ５から第１、第２の丸孔部４ｄ６、４ｄ７に向けて潰し荷重がかかり、ワイパフレーム４のギヤケース固定部４ｄの外径を図４中左右の方向に大きくしようとする応力がかけられる。
【００３１】
そのとき、ワイパフレームカバー５の第１、第２のギヤケース側端部５ａ４、５ａ５がギヤケース１５のワイパフレーム支持部１５ｄから離れて配置される一方、ワイパフレーム４のギヤケース固定部４ｄの下側に圧着している第１のワイパフレーム圧着面１５ｄ２がギヤケース固定部４ｄの下半分を覆い、且つ、ワイパフレーム４のギヤケース固定部４ｄの上側に圧着している第２のワイパフレーム圧着面５ａ１がギヤケース固定部４ｄの上半分を覆っているから、ワイパフレームカバー５とギヤケース１５のワイパフレーム支持部１５ｄとによって、ワイパフレーム４のギヤケース固定部４ｄに、ワイパフレーム４のギヤケース固定部４ｄの外径を図４中左右の方向に大きくしようとする応力に抗する反力が発生し、その反力がワイパフレーム固定用ねじ６、６の頭部６ａ、６ａに向けて作用することによってワイパフレーム固定用ねじ６、６の推力となるため、ギヤケース１５の第１、第２のねじ込み孔１５ｄ３、１５ｄ４にねじ込まれたワイパフレーム固定用ねじ６、６に緩みが生ずることがなく、ワイパフレームカバー５、ワイパフレーム４、ギヤケース１５の三者が強固に結合される。
【００３２】
第２の車体側固定部４ｂはフレーム本体４ａの一端側に加締め固定され、第３の車体側固定部４ｃはフレーム本体４ａの他端側に加締め固定されている。
【００３３】
第２の車体側固定部４ｂには、第１のピボットシャフト支持部４ｂ１が形成されており、この第１のピボットシャフト支持部４ｂ１に第１のピボットシャフト９が回転可能に支持されている。第１のピボットシャフト９には、図１中の後方側である第２の車体側固定部４ｂの一方側が車体のカウルトップパネルの外側に突出して図示しない一方側のワイパアームの基端部が固定される。一方側のワイパアームの先端部には図示しない一方側のワイパブレードが装着される。そして、第１のピボットシャフト９には、図１中の前方側である第２の車体側固定部４ｂの他方側に第１のピボットアーム８が固定されている。
【００３４】
第１のピボットアーム８には、基端側に第１のピボットシャフト固定部８ａが形成されているとともに、先端側にリンクコンロッド連結部８ｂが形成されている。第１のピボットアーム８のリンクコンロッド連結部８ｂの図１中の手前側には第２のボールピン２４が固定されており、第１のピボットアーム８のリンクコンロッド連結部８ｂの図１中の後方側には第３のボールピン２５が固定されている。
【００３５】
第２のボールピン２４には、第２のボールリテーナ２６が球面対偶を介して結合されている。第２のボールリテーナ２６は第１のリンクコンロッド７の他端部に固定されている。第３のボールピン２５には、第３のボールリテーナ２７が球面対偶を介して結合されている。第３のボールリテーナ２７は第２のリンクコンロッド１０の他端部に固定されている。
【００３６】
第３の車体側固定部４ｃには、第２のピボットシャフト支持部４ｃ１が形成されており、この第２のピボットシャフト支持部４ｃ１に第２のピボットシャフト１２が回転可能に支持されている。第２のピボットシャフト１２には、図１中の後方側である第３の車体側固定部４ｃの一方側が車体のカウルトップパネルの外側に突出して図示しない他方側のワイパアームの基端部が固定される。他方側のワイパアームの先端部には図示しない他方側のワイパブレードが装着される。そして、第２のピボットシャフト１２には、図１中の手前側である第３の車体側固定部４ｃの他方側に第２のピボットアーム１１が固定されている。
【００３７】
第２のピボットアーム１１には、基端側に第２のピボットシャフト固定部１１ａが形成されているとともに、先端側にリンクコンロッド連結部１１ｂが形成されている。第２のピボットアーム１１のリンクコンロッド連結部１１ｂの図１中の後方側には第４のボールピン２８が固定されている。
【００３８】
第４のボールピン２８には、第４のボールリテーナ２９が球面対偶を介して結合されている。第４のボールリテーナ２９は第２のリンクコンロッド１０の他端部に固定されている。
【００３９】
このような構造をなすワイパユニット１は、第１、第２、第３の車体側固定部１５ｃ、４ｂ、４ｃが車体のダッシュアッパパネルにねじ止めされることによって車体に搭載され、第１、第２のピボットシャフト９、１２のそれぞれの一方側が車体のカウルトップパネルの外側に配置されて、ワイパアーム、ワイパブレードがそれぞれ取付けられる。
【００４０】
外部接続配線を通じてワイパモータ２のアーマチュア１４に通電されると、アーマチュアシャフト１７が回転することによってモータアーム３が回転し、第１のボールピン２２が円運動を始める。すると、第１のボールピン２２の円運動が第１のリンクコンロッド７の往復運動に変換されて第１のピボットアーム８が往復回動し、第１のピボットシャフト９が往復回動する。同時に、第１のピボットアーム８の往復回動運動が第２のリンクコンロッド１０を通じて第２のピボットアーム１１に伝わり、第２のピボットアーム１１が往復で回動して第２のピボットシャフト１２が往復回動する。第１、第２のピボットシャフト９、１２が往復回動することによってそれぞれのワイパアームが往復で揺動し、払拭面をそれぞれのワイパブレードによって拭う。
【００４１】
上述したように、ワイパフレーム固定用ねじ６、６がワイパフレームカバー５とワイパフレーム４とを通ってギヤケース１５の第１、第２のねじ込み孔１５ｄ３、１５ｄ４にねじ込まれる際、ワイパフレーム４のギヤケース固定部４ｄに対し、第１、第２のねじ挿通孔４ｄ２、４ｄ３の孔方向にギヤケース固定部４ｄの上側から下側に潰し荷重がかかるが、ワイパフレームカバー５とギヤケース１５のワイパフレーム支持部１５ｄとによってワイパフレーム４のギヤケース固定部４ｄに潰し荷重に抗する反力が発生し、その反力がワイパフレーム固定用ねじ６、６の推力となるため、ギヤケース１５の第１、第２のねじ込み孔１５ｄ３、１５ｄ４にねじ込まれたワイパフレーム固定用ねじ６、６に緩みを生ずることなく、ワイパフレーム４がギヤケース１５に強固に結合されるものとなる。
【実施例１】
【００４２】
図５には、この発明に係わるワイパユニットの実施例１が示されており、ワイパフレーム４とギヤケース１５との結合部分のみが示されている。
【００４３】
この場合のワイパユニット１では、実施の形態で用いられたワイパフレーム固定用ねじ６、６に代えてワイパフレーム固定用リベット３０、３０が用いられている。そのため、ギヤケース１５のワイパフレーム支持部１５ｄには、実施の形態で用いられた第１、第２のねじ込み孔１５ｄ３、１５ｄ４に代えて第１、第２のリベット挿通孔１５ｄ５、１５ｄ６がそれぞれ形成され、ワイパフレーム４のギヤケース固定部４ｄには、実施の形態で用いられた第１、第２のねじ挿通孔４ｄ２、４ｄ３に代えて第１、第２のリベット貫通孔４ｄ８、４ｄ９がそれぞれ形成され、ワイパフレームカバー５には、実施の形態で用いられた第１、第２のねじ挿通孔５ａ２、５ａ３に代えて第１、第２のリベット挿通孔５ａ７、５ａ８がそれぞれ形成されている。他の部位は、実施の形態と同様に構成されている。
【００４４】
ワイパフレーム固定用リベット３０、３０は、ワイパフレームカバー５の第１、第２のリベット挿通孔５ａ７、５ａ８から、ワイパフレーム４のギヤケース固定部４ｄの第１、第２のリベット貫通孔４ｄ８、４ｄ９に通され、ギヤケース１５のワイパフレーム支持部１５ｄの第１、第２のリベット挿通孔１５ｄ５、１５ｄ６に通されてから、ギヤケース１５の外側が加締め固定される。
【００４５】
そして、この場合も、実施の形態と同様にして、ワイパフレーム固定用リベット３０、３０がワイパフレームカバー５からワイパフレーム４のギヤケース固定部４ｄ、ギヤケース１５のワイパフレーム支持部１５ｄを通ってギヤケース１５の外側で加締め固定される際、ワイパフレーム４のギヤケース固定部４ｄに対し、第１、第２のリベット貫通孔４ｄ８、４ｄ９の孔方向にギヤケース固定部４ｄの上側から下側に潰し荷重がかかるが、ワイパフレームカバー５とギヤケース１５のワイパフレーム支持部１５ｄとによってワイパフレーム４のギヤケース固定部４ｄに潰し荷重に抗する反力が発生し、その反力がワイパフレーム固定用リベット３０、３０の推力となるため、ワイパフレーム固定用リベット３０、３０に緩みを生ずることなく、ワイパフレーム４がギヤケース１５に強固に結合されるものとなる。
【実施例２】
【００４６】
図６には、この発明に係わるワイパユニットの実施例２が示されており、ワイパフレーム４とギヤケース１５との結合部分のみが示されている。
【００４７】
この場合のワイパユニット１では、実施の形態の構成に加え、ギヤケース１５のワイパフレーム支持部１５ｄに、ワイパフレームカバー５の第１、第２のギヤケース側端部５ａ４、５ａ５の外側に配置される第１、第２の切欠１５ｄ７、１５ｄ８が形成されている。他の部位は実施の形態と同様にされている。
【００４８】
第１、第２の切欠１５ｄ７、１５ｄ８は、ワイパフレーム固定用ねじ６、６がワイパフレームカバー５、ワイパフレーム４を通してギヤケース１５の第１、第２のねじ込み孔１５ｄ３、１５ｄ４にねじ込まれることによって、ワイパフレーム４のギヤケース固定部４ｄに対し、第１、第２のねじ保持部４ｄ４、４ｄ５から第１、第２の丸孔部４ｄ６、４ｄ７に向けて潰し荷重がかかり、ワイパフレーム４のギヤケース固定部４ｄの外径を図６中左右の方向に大きくしようとする応力がかけられた際に、ワイパフレーム４とともにワイパフレームカバー５がその応力によって図６中左右の方向に変形しないようにする機能をもつ。
【００４９】
そして、ワイパフレーム固定用ねじ６、６がワイパフレームカバー５とワイパフレーム４とを通ってギヤケース１５の第１、第２のねじ込み孔１５ｄ３、１５ｄ４にねじ込まれる際、ワイパフレーム４のギヤケース固定部４ｄに対し、第１、第２のねじ挿通孔４ｄ２、４ｄ３の孔方向にギヤケース固定部４ｄの上側から下側に潰し荷重がかかるが、第１、第２の切欠１５ｄ７、１５ｄ８により、ワイパフレームカバー５がその潰し荷重によってワイパフレーム４とともに変形せずに、ワイパフレーム４のギヤケース固定部４ｄに潰し荷重に抗する反力が発生し、その反力がワイパフレーム固定用ねじ６、６の推力となるため、その結果、ギヤケース１５の第１、第２のねじ込み孔１５ｄ３、１５ｄ４にねじ込まれたワイパフレーム固定用ねじ６、６に緩みを生ずることなく、ワイパフレーム４がギヤケース１５に強固に結合されるものとなる。なお、ここでは説明を省略するが、第１、第２の切欠１５ｄ７、１５ｄ８を実施例１に用いてもよい。
【図面の簡単な説明】
【００５０】
【図１】この発明に係わるワイパユニットの実施の形態の一部破断平面図である。
【図２】図１に示したワイパユニットにおいてのワイパモータまわりの正面図である。
【図３】図１に示したワイパユニットにおいてのワイパモータのギヤケースの断面図である。
【図４】図１に示したワイパユニットにおいてのワイパモータのギヤケースとワイパフレームとの組付部分の断面図である。
【図５】この発明に係わるワイパユニットの実施例１においてのワイパモータのギヤケースとワイパフレームとの組付部分の断面図である。
【図６】この発明に係わるワイパユニットの実施例２においてのワイパモータのギヤケースとワイパフレームとの組付部分の断面図である。
【符号の説明】
【００５１】
１        ワイパユニット
２        ワイパモータ
３        モータアーム
４        ワイパフレーム
４ａ      フレーム本体
４ｂ      （車体側固定部）第２の車体側固定部
４ｂ１    （ピボットシャフト支持部）第１のピボットシャフト支持部
４ｃ      （車体側固定部）第３の車体側固定部
４ｃ１    （ピボットシャフト支持部）第２のピボットシャフト支持部
４ｄ      ギヤケース固定部
４ｄ２    （ねじ挿通孔）第１のねじ挿通孔
４ｄ３    （ねじ挿通孔）第２のねじ挿通孔
４ｄ８    （リベット貫通孔）第１のリベット貫通孔
４ｄ９    （リベット貫通孔）第２のリベット貫通孔
５        ワイパフレームカバー
５ａ４    （ギヤケース側端部）第１のギヤケース側端部
５ａ５    （ギヤケース側端部）第２のギヤケース側端部
６        （ねじ）ワイパフレーム固定用ねじ
７        （リンクコンロッド）第１のリンクコンロッド
８        （ピボットアーム）第１のピボットアーム
９        （ピボットシャフト）第１のピボットシャフト
１０      （リンクコンロッド）第２のリンクコンロッド
１１      （ピボットアーム）第２のピボットアーム
１２      （ピボットシャフト）第２のピボットシャフト
１３      モータヨーク
１４      アーマチュア
１５      ギヤケース
１５ｄ    ワイパフレーム支持部
１５ｄ３  （ねじ込み孔）第１のねじ込み孔
１５ｄ４  （ねじ込み孔）第２のねじ込み孔
１５ｄ５  （リベット挿通孔）第１のリベット挿通孔
１５ｄ６  （リベット挿通孔）第２のリベット挿通孔
１５ｄ７  （切欠部）第１の切欠
１５ｄ８  （切欠部）第２の切欠
２１      出力軸
３０      （リベット）ワイパフレーム固定用リベット
【図１】
2005138841.tif 000003
【図２】
2005138841.tif 000004
【図３】
2005138841.tif 000005
【図４】
2005138841.tif 000006
【図５】
2005138841.tif 000007
【図６】
2005138841.tif 000008